(57)【要約】      （修正有）【課題】薄型の移動式指紋センサーによりユーザの指紋を感知し、ポータブルストレージデバイスが応用装置内に差し込まれた後にも、ユーザが薄型の移動式指紋センサーを介して測定すべき指紋画像を入力でき、指紋識別が行われ、指紋識別の便利性が向上するとともに、回路占用面積を縮小することのできる指紋識別機能を有するポータブルストレージデバイスを提供する。【解決手段】ポータブルストレージデバイス１の片側に設けられ、移動通過した指紋を感知し識別すべき指紋画像を形成する薄型の移動式指紋センサー４０と、移動式指紋センサー４０に接続され、ポータブルストレージデバイス１の稼働を制御する制御ユニットと、制御ユニットおよびポータブルストレージデバイス１の外部にある応用装置２を連結するインターフェースユニットと、制御ユニットに接続され保護データを記憶するメモリユニットとを含む。【選択図】図２
0003135932.tif 000002
【実用新案登録請求の範囲】
【請求項１】
ポータブルストレージデバイスの片側に設けられ、移動通過した指紋を感知し識別すべき指紋画像を形成する薄型の移動式指紋センサーと、
前記薄型の移動式指紋センサーに接続され、前記ポータブルストレージデバイスの稼働を制御する制御ユニットと、
前記制御ユニットおよび前記ポータブルストレージデバイスの外部にある応用装置を連結するインターフェースユニットと、
前記制御ユニットに接続され保護データを記憶するメモリユニットと、を含む指紋識別機能を有するポータブルストレージデバイス。
【請求項２】
前記指紋の移動方向は、前記薄型の移動式指紋センサーの感知窓の延伸方向に垂直または平行になっていることを特徴とする請求項１に記載の指紋識別機能を有するポータブルストレージデバイス。
【請求項３】
前記制御ユニットは、前記薄型の移動式指紋センサーが感知した指紋画像の複数パーツを前記インターフェースユニットを介して前記応用装置に転送し、識別できる完全な指紋画像に組み換えることを特徴とする請求項１に記載の指紋識別機能を有するポータブルストレージデバイス。
【請求項４】
前記制御ユニットは、前記薄型の移動式指紋センサーが感知した指紋画像の複数パーツを識別できる完全な指紋画像に組み換えてから、さらに前記インターフェースユニットを介して前記応用装置に転送することを特徴とする請求項１に記載の指紋識別機能を有するポータブルストレージデバイス。
【請求項５】
前記メモリユニットは、さらに、授権指紋画像またはその授権指紋画像の特徴値を記憶しており、前記応用装置は、前記授権指紋画像またはその授権指紋画像の特徴値を取り込むことにより、前記識別すべき指紋画像が前記授権指紋画像またはその授権指紋画像の特徴値と一致するか否かを判別することを特徴とする請求項１に記載の指紋識別機能を有するポータブルストレージデバイス。
【請求項６】
前記メモリユニットは、さらに、指紋識別プログラムを記憶しており、前記応用装置は、前記授指紋識別プログラムにより、前記薄型の移動式指紋センサーが感知した指紋画像の複数パーツを前記識別すべき指紋画像または前記識別すべき指紋画像の特徴値に組み換えて、前記識別すべき指紋画像が前記授権指紋画像と一致するか、或いは前記識別すべき指紋画像の特徴値が前記授権指紋画像の特徴値と一致するか否かを識別することを特徴とする請求項５に記載の指紋識別機能を有するポータブルストレージデバイス。
【請求項７】
前記応用装置は、前記授権指紋画像または前記授権指紋画像の特徴値および前記授指紋識別プログラムを記憶しておき、さらに前記授指紋識別プログラムにより、前記薄型の移動式指紋センサーが感知した指紋画像の複数パーツを前記識別すべき指紋画像または前記識別すべき指紋画像の特徴値に組み換えて、前記識別すべき指紋画像が前記授権指紋画像と一致するか、或いは前記識別すべき指紋画像の特徴値が前記授権指紋画像の特徴値と一致するか否かを判別することを特徴とする請求項１に記載の指紋識別機能を有するポータブルストレージデバイス。
【考案の詳細な説明】
【技術分野】
【０００１】
本考案は、ポータブルストレージデバイスに関し、特に指紋識別機能を有するポータブルストレージデバイスに関する。
【背景技術】
【０００２】
科学技術の発展に伴い、ポータブルストレージデバイス（Ｐｏｒｔａｂｌｅ  Ｓｔｏｒａｇｅ  Ｄｅｖｉｃｅ）は、商業、教育、および家庭等での電子計算に広く応用される不可欠な周辺機器となっている。
これらの装置は、適当な接続ポート（例えば、ＵＳＢポートのシリアルバスポートや、ＩＥＥＥ１３９４のプロトコル（ファイアワイヤとも呼ばれる）を介し、それらのポートを有するパソコン等に対し容易に着脱することができる。
そのため、これらのポータブルデータストレージデバイスは、異なるパソコンの間でデータを転送できるように構成されている。
【０００３】
ポータブルストレージデバイスは、異なる機構・団体および個人の電子計算環境などの応用装置に益々広く用いられるため、授権されていないユーザのポータブルまたは所定ストレージ媒体に記憶された情報へのアクセスを避けることは、今の情報技術における最も重要な課題の一つになっている。
例えば、機密的な商業情報や、個人情報、例えば、医薬および金融または他の種類の敏感なデータを確保するため、信頼できる安全な方法を備えなければならず、該方法は、簡単かつ便利に使用できるとともに、適切な保護レベルを保護すべき情報に提供しなければならない。
【０００４】
従来、一部のポータブルストレージデバイスは、ユーザに高度で安全な生体認証アクセス制御システムを与えた。特許文献１、２、３には、いずれも、ストレージデバイス（またはチップカード）のケース正面に設けられた指紋センサーをユーザに提供している。それらストレージデバイス（またはチップカード）は、ユーザがストレージデバイス（またはチップカード）のケース正面から識別しようとする指紋画像を入力できるように構成され、夫々は指紋識別（または、その他の生体認証）機能を有している。
【０００５】
しかしながら、このストレージデバイス（またはチップカード）が応用装置内に差し込まれなければならない時に、指紋センサーがストレージデバイス（またはチップカード）のケースの正面に設けられたため、指紋センサーが応用装置に覆われてしまう。
そのため、ユーザがストレージデバイス（またはチップカード）を応用装置内に差し込む前に、正面の指紋センサーを介してストレージデバイス（またはチップカード）に指紋を先に入力しなければならない。そして、ストレージデバイス（またはチップカード）を応用装置内に差し込むと、ユーザの指紋画像が応用装置内に転送され識別される。また、指紋センサーは、ユーザの完全な指紋を直接的に感知するものであるので、大規模なセンサ回路を必要とする。
【０００６】
前記構成を実施するには、ストレージデバイス（またはチップカード）は、定格以外の電力源を指紋識別装置に供給しなければならず、かつ、大きな範囲のセンサ回路を採用しているため、ストレージデバイス（またはチップカード）が体積の設計上に大きく制限されることになる。
【０００７】
また、特許文献４では、電子カードは、応用装置に覆われた場合にも、指紋センサーを引き出して指紋識別を実行できるが、該従来の技術は、大きな範囲のセンサ回路による問題を解消することはできない。
【０００８】
また、特許文献５、６では、薄型の移動式指紋センサーについて記載されており、それはセンサ回路が占められた面積を低減できるが、この二つの従来技術における薄型の移動式指紋センサーの感知窓が、ストレージデバイス（またはチップカード）の正面位置に限られるため、ストレージデバイス（またはチップカード）が応用装置内に差し込まれる時に生じられたカバーの問題を解消できないだけでなく、電源供給に必要とする大量な電気回路の問題も解決できない。
【特許文献１】台湾特許第Ｍ２４９１４６号公報
【特許文献２】台湾特許第Ｉ２４６０２８号公報
【特許文献３】台湾特許第Ｍ２９８１９７号公報
【特許文献４】米国特許第６２１３４０３号公報
【特許文献５】台湾特許第Ｉ２４３４３７号公報
【特許文献６】台湾特許第２００５００８６０号公報
【考案の開示】
【考案が解決しようとする課題】
【０００９】
本考案の目的は、薄型の移動式指紋センサーによりユーザの指紋を感知し、かつ、前記薄型の移動式指紋センサーは、ポータブルストレージデバイスのケースの片側に設けられ、ポータブルストレージデバイスが応用装置内に差し込まれた後にも、ユーザが前記薄型の移動式指紋センサーを介して測定すべき指紋画像を入力でき、指紋識別が行われ、指紋識別の便利性が向上するとともに、回路占用面積を縮小することのできる指紋識別機能を有するポータブルストレージデバイスを提供することである。
【課題を解決するための手段】
【００１０】
本考案による指紋識別機能を有するポータブルストレージデバイスは、インターフェースユニット、制御ユニット、メモリユニットおよび薄型の移動式指紋センサーを含み、該薄型の移動式指紋センサーは、ポータブルストレージデバイスのケースの片側に設けられた。
【００１１】
ユーザは、ポータブルストレージデバイスを応用装置に接続した後でも、薄型の移動式指紋センサーは、ユーザの指紋を感知でき、さらに識別すべき指紋画像を発生する。応用装置は、指紋識別プログラムによって、識別すべき指紋画像および予め登録した授権指紋画像を比較して、一致であるか否かを判断し、ポータブルストレージデバイス内の保護データが応用装置内に転送できるか否かを決定する。
【００１２】
本考案による識別すべき指紋画像を発生する第１の実施例では、制御ユニットは、薄型の移動式指紋センサーが感知した指紋画像のパーツを応用装置内に転送して組み換え、さらに識別動作を実行する。
【００１３】
本考案による識別すべき指紋画像を発生する第２の実施例では、制御ユニットは、先ず薄型の移動式指紋センサーが感知した指紋画像のパーツを識別すべき指紋画像に組み換えてから、応用装置内に転送して識別を実行する。
【００１４】
本考案による識別すべき指紋画像の第１の実施例では、指紋識別プログラムおよび授権指紋画像は、メモリユニット内に予め記憶された。
【００１５】
本考案による識別すべき指紋画像の第２の実施例では、指紋識別プログラムおよび授権指紋画像は、応用装置内に予め記憶された。
【００１６】
本考案による識別すべき指紋画像の第３の実施例では、指紋識別プログラムおよび授権指紋画像は、応用装置およびメモリユニット内にそれぞれ予め記憶された。
【考案の効果】
【００１７】
薄型の移動式指紋センサーによりユーザの指紋を感知し、かつ、前記薄型の移動式指紋センサーは、ポータブルストレージデバイスのケースの片側に設けられ、ポータブルストレージデバイスが応用装置内に差し込まれた後にも、ユーザが前記薄型の移動式指紋センサーを介して測定すべき指紋画像を入力でき、指紋識別が行われ、指紋識別の便利性が向上するとともに、回路占用面積を縮小することのできる指紋識別機能を有するポータブルストレージデバイスを得ることが出来る。
【考案を実施するための最良の形態】
【００１８】
図１は、本考案による指紋識別機能を有するポータブルストレージデバイスを示す図である。図１に示すように、本考案のポータブルストレージデバイス１は、インターフェースユニット１０、制御ユニット２０、メモリユニット３０および薄型の移動式指紋センサー４０を含む。
【００１９】
薄型の移動式指紋センサー４０は、ポータブルストレージデバイス１の片側に設けられ、薄型の移動式指紋センサー４０がユーザの指の指紋を感知し易くするため、ポータブルストレージデバイス１のケース片側にも感知窓が設けられ、薄型の移動式指紋センサー４０がユーザの指の指紋を感知できるようになる。また、薄型の移動式指紋センサー４０は、感知窓を介して指紋を感知し、感知する度に指紋画像のパーツが得られるので、指紋画像の複数パーツを感知して識別できる完全な指紋画像に組み換える必要がある。
【００２０】
制御ユニット２０は、薄型の移動式指紋センサー４０に接続され、ポータブルストレージデバイス１の内部の稼働を制御する。本考案の一実施例では、薄型の移動式指紋センサー４０が指紋画像のパーツを感知すると、制御ユニット２０は、感知した指紋画像のパーツを外へ転送し、さらに識別できる完全な指紋画像に組み換える。また、本考案の他の実施例では、薄型の移動式指紋センサー４０が指紋画像のパーツを感知すると、制御ユニット２０は、指紋画像のパーツを識別できる完全な指紋画像に組み換えてから、さらに外へ転送する。
【００２１】
インターフェースユニット１０は、応用装置に接続されている（図示せず）。ポータブルストレージデバイス１が応用装置に接続されると、インターフェースユニット１０を介して応用装置との間でデータ交換の動作を行う。そのため、インターフェースユニット１０は、ユニバーサルシリアルバス（ＵＳＢ）接続インターフェースや、エクスプレスカード（Ｅｘｐｒｅｓｓ  Ｃａｒｄ）接続インターフェース、或いは一般のＰＣＩ接続インターフェース（図示せず）であれば良いが、ユニバーサルシリアルバス接続インターフェース（図示せず）およびエクスプレスカード接続インターフェース（図示せず）を同時に含むものであっても良い。
【００２２】
インターフェースユニット１０は、ユニバーサルシリアルバス接続インターフェース（以下、ＵＳＢ接続インターフェースを称する）およびエクスプレスカード接続インターフェースを同時に含む場合に、エクスプレスカード接続インターフェースがＵＳＢ接続インターフェースとは、採用している電圧仕様が異なるため、エクスプレスカード接続インターフェースが提供した供給電圧と、ＵＳＢ接続インターフェースが提供した供給電圧とも、異なる。そのため、本実施例では、ポータブルストレージデバイス１は、電源変調ユニット（図示せず）および分離ユニット（図示せず）によって解決でき、この電源変調ユニットは、ＵＳＢ接続インターフェースまたはエクスプレスカード接続インターフェースが提供した供給電圧を調整し、ポータブルストレージデバイスの稼働ニーズに適合させることができる。しかも、応用装置は、エクスプレスカード接続インターフェースまたはＵＳＢ接続インターフェースの何れか一つにしか接続できない。
【００２３】
メモリユニット３０は、制御ユニット２０に接続され、保護データを記憶する。しかしながら、メモリユニット３０と応用装置との間にデータ転送する時に、インターフェースユニット１０の操作電圧、制御ユニット２０の操作電圧、およびメモリユニット３０が必要とする操作電圧は、いずれも異なるため、前記の電源変調ユニットによってメモリユニット３０が必要とする操作電圧を調整かつ供給すればよい。また、電源変調ユニットは、さらに、メモリユニットの品番や仕様、メーカ名などの識別データによってメモリユニット３０の操作電圧を調整できる。
【００２４】
メモリユニット３０の第２の実施例では、メモリユニット３０は、さらに、授権指紋画像またはその特徴値を記憶できる。この授権指紋画像またはその特徴値は、メモリユニット３０内に予め記憶され、かつ授権したユーザの授権指紋画像またはその特徴値であり、識別すべき指紋画像または識別すべき指紋画像の特徴値と比べる。メモリユニット３０の第３の実施例では、メモリユニット３０は、さらに、授権指紋画像またはその特徴値および指紋識別プログラムを記憶できる。そのため、メモリユニット３０はフラッシュメモリであれば良い。
【００２５】
以上のように、本考案のポータブルストレージデバイス１は、パソコンやＰＤＡ或いは携帯電話などの応用装置に差し込まれることができるが分かる。
【００２６】
図２は、本考案によるポータブルストレージデバイス１が応用装置に接続された様子を示す図で、図３は、本考案によるポータブルストレージデバイス１がユーザの指紋を感知する様子を示す図である。図２および図３を参照し、本考案ではポータブルストレージデバイス１が応用装置に接続された時に、ユーザの指紋をどのように取り込んで指紋識別をさらに実行することを明らかに記述する。
【００２７】
仮に、ポータブルストレージデバイス１のケースが薄型の移動式指紋センサー４０に提供した指紋画像のパーツを感知するための感知窓は、インターフェースユニット１０に対応する片側に設けられた。先ず、ポータブルストレージデバイス１が応用装置２の片側の収納スロット２１内に差し込まれ、ポータブルストレージデバイス１が薄型の移動式指紋センサー４０に提供した指紋画像のパーツを感知するための感知窓は、応用装置２の外に露出されている。
【００２８】
続いて、ユーザの指はこの感知窓に近づけなければならず、なお更この感知窓に緊密的に貼り付けて薄型の移動式指紋センサー４０がユーザの指紋を感知できるようにしなければならない。薄型の移動式指紋センサー４０の予設した指紋の走査方向は、感知窓の延伸方向に垂直とすれば、ユーザが指を上下に移動して薄型の移動式指紋センサー４０が完全の指紋を感知できるようにしなければならない。薄型の移動式指紋センサー４０の予設した指紋の走査方向は、感知窓の延伸方向に平行とすれば、ユーザが指を左右に移動して薄型の移動式指紋センサー４０が完全な指紋を感知できるようにしなければならない。本考案の走査指紋の実施例は、従来の技術の台湾特許第２００５００８６０号における指紋走査の方向に関わる実施例をも含むことができる。
【００２９】
また、一方、本考案において指紋識別を実行する第１の実施例では、例えば、応用装置２内に指紋識別プログラムおよび授権指紋画像が予め記憶されている。ポータブルストレージデバイス１が応用装置２に接続されると、応用装置２は、ポータブルストレージデバイス１を介して識別すべき指紋画像を入力するようにユーザに求める。
【００３０】
薄型の移動式指紋センサー４０が、ユーザの指紋画像のパーツを感知すると、先ず、制御ユニット２０に転送し処理され、さらに、インターフェースユニット１０を介して応用装置２に転送して組み換える。応用装置２は、さらに指紋識別プログラムを介して、受信した指紋画像の複数パーツを識別できる完全な指紋画像に組み換え、かつ、この識別すべき指紋画像が予設した授権指紋画像とは、一致であるか否かを比較する。
【００３１】
この識別すべき指紋画像が予設した授権指紋画像とは一致であると、ポータブルストレージデバイス１は、メモリユニット３０内の保護データがインターフェース１０を介して応用装置２内に転送されることを許容できる。逆に、ポータブルストレージデバイス１は、メモリユニット３０内の保護データがインターフェース１０を介して応用装置２内に転送されることを阻止できる。
【００３２】
本考案において指紋識別を実行する第２の実施例では、第１の実施例との差異は、指紋識別プログラムおよび授権指紋画像が、メモリユニット３０内に予め記憶される点である。そのため、ポータブルストレージデバイス１が応用装置２に接続されると、応用装置２は、ポータブルストレージデバイス１を介して識別すべき指紋画像を入力し、かつメモリユニット３０の中から指紋識別プログラムおよび授権指紋画像を取り入れるようにユーザに求める。
【００３３】
本考案において指紋識別を実行する第３の実施例では、第１の実施例および第２の実施例との差異は、メモリユニット３０が、指紋識別プログラムおよび授権指紋画像のうち一つのみを記憶し、応用装置２が指紋識別プログラムおよび授権指紋画像のうちの他の一つを記憶する点である。そのため、ポータブルストレージデバイス１が応用装置２に接続されると、応用装置２は、ポータブルストレージデバイス１を介して識別すべき指紋画像を入力し、かつメモリユニット３０の中から指紋識別プログラムまたは授権指紋画像を取り入れるようにユーザに求める。
【００３４】
メモリユニット３０は授権指紋画像を予め記憶することとしたら、応用装置２が指紋識別プログラムを予め記憶する。此の際、応用装置２は、メモリユニット３０の中から授権指紋画像を取り入れ、指紋識別プログラムで該授権指紋画像が受信した識別すべき指紋画像とは一致するか否かを判別する。
【００３５】
また、本考案において指紋識別を実行する第１〜第３の実施例では、薄型の移動式指紋センサー４０が感知した指紋画像の複数パーツも、先ず制御ユニット２０に識別すべき指紋画像に組み換えてから、さらにインターフェース１０を介して応用装置２内に転送して指紋識別動作を実行する。指紋識別動作を実行する時に、授権指紋画像の特徴値で識別すべき指紋画像（またはその特徴値）が一致するか否かを判断することもできる。
【００３６】
本考案のポータブルストレージデバイス１が応用装置２に差し込まれた後でも、指紋画像を走査できるため、多くの実施態様を有し、例えば、図４に示すように電子カード（本体）１１に適応するか、或いは図５に示すようにメモリカード１２に適応し、かつメモリカード（本体）１２がエクスプレスカードインターフェースを有する。
【００３７】
本考案による利点は、ポータブルストレージデバイスが応用装置の収納スロットに差し込まれる時でも、ユーザは、薄型の移動式指紋センサーで指紋を感知でき、さらにポータブルストレージデバイス内に記憶された保護データを応用装置内に転送することである。
【００３８】
本考案による他の利点は、ポータブルストレージデバイス中のインターフェースユニットが、異なる接続インターフェースで異なる応用装置に適応できることである。
【００３９】
本考案によるもう一つの利点は、ポータブルストレージデバイスにおいて、薄型の移動式指紋センサーが稼働に必要とする電力が応用装置により供給できることである。
【００４０】
本考案によるもう一つの利点は、指紋を識別するために必要とする指紋識別プログラムおよび授権指紋画像（またはその特徴値）が、応用装置内に予め記憶できることである。
【００４１】
本考案によるもう一つの利点は、指紋を識別するために必要とする指紋識別プログラムおよび授権指紋画像（またはその特徴値）が、ポータブルストレージデバイス内に予め記憶できることである。
【００４２】
本考案によるもう一つの利点は、指紋を識別するために必要とする指紋識別プログラムおよび授権指紋画像（またはその特徴値）が、応用装置およびポータブルストレージデバイス内にそれぞれ予め記憶できることである。
【００４３】
本考案によるもう一つの利点は、薄型の移動式指紋センサーが感知した指紋画像の複数パーツが、先ず応用装置内に転送して、識別すべき指紋画像に組み換えられることである。
【００４４】
本考案によるもう一つの利点は、薄型の移動式指紋センサーが感知した指紋画像の複数パーツが、先ずポータブルストレージデバイス内に識別すべき指紋画像に組み換えられ、応用装置内に転送して識別される。
【００４５】
添え付き図面は参考や説明のみに用いられ、本考案を制限するものではない。しかし、以上の形態は、単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００４６】
【図１】図１は、本考案による指紋識別機能を有するポータブルストレージデバイスを示す図である。
【図２】図２は、本考案によるポータブルストレージデバイスが応用装置に接続された様子を示す図である。
【図３】図３は、本考案によるポータブルストレージデバイスがユーザの指紋を感知する様子を示す図である。
【図４】図４は、本考案によるポータブルストレージデバイスが電子カードに適応する様子を示す外観図である。
【図５】図５は、本考案によるポータブルストレージデバイスがメモリカードに適応する様子を示す外観図である。
【符号の説明】
【００４７】
１      ポータブルストレージデバイス
２      応用装置
１０    インターフェースユニット
１１    電子カード
１２    メモリカード
２１    収納スロット
２０    制御ユニット
３０    メモリユニット
４０    薄型の移動式指紋センサー
【図１】
0003135932.tif 000003
【図２】
0003135932.tif 000004
【図３】
0003135932.tif 000005
【図４】
0003135932.tif 000006
【図５】
0003135932.tif 000007